(57)【要約】【課題】小型かつ簡易な構成によって静電気による破損を防止すること。【解決手段】操作者が操作することによって所定の操作信号を出力する、鏡筒の表面に設けられたスイッチ部材と、スイッチ部材に当接して設けられ、当該スイッチ部材の操作にともなってクリック感を発生させる、導電性の材料からなるクリック板５０１と、一端がクリック板５０１に電気的に接続され、他の一端がグランドに接続され、スイッチ部材またはクリック板５０１において発生した静電気を、クリック板５０１を介してグランドへ通電するアース用フレキシブルケーブル５０５と、を備えたことを特徴とする。【選択図】図５
2010072582.tif 000002
【特許請求の範囲】
【請求項１】
操作者が操作することによって所定の操作信号を出力する、鏡筒の表面に設けられたスイッチ部材と、
前記スイッチ部材に当接して設けられ、当該スイッチ部材の操作にともなってクリック感を発生させる、導電性の材料からなる補助部材と、
一端が前記補助部材に電気的に接続され、他の一端がグランドに接続され、前記スイッチ部材または前記補助部材において発生した静電気を、前記補助部材を介して前記グランドへ通電する通電部材と、
を備えたことを特徴とするレンズ装置。
【請求項２】
前記スイッチ部材は、前記鏡筒に対して相対的に変位可能に設けられたスイッチ片と当該スイッチ片の変位にともなって接続状態が変化するスイッチ素子とを備え、当該スイッチ素子の接続状態にしたがって前記所定の操作信号を出力し、
前記通電部材は、前記スイッチ素子よりも前記スイッチ片に近い位置で前記補助部材に接続されることを特徴とする請求項１に記載のレンズ装置。
【請求項３】
前記通電部材は、フレキシブルケーブルであることを特徴とする請求項１または２に記載のレンズ装置。
【請求項４】
前記通電部材は、前記スイッチ部材が出力した所定の操作信号を所定の回路へ送信する送信用コード部材とは別の部材によって構成されることを特徴とする請求項１〜３のいずれか一つに記載のレンズ装置。
【請求項５】
前記鏡筒は、撮像装置本体に接続された状態で、当該撮像装置本体の所定の導電部材に接触する中間導電部材を備えており、
前記他の一端は、前記中間導電部材に当接することを特徴とする請求項１〜４のいずれか一つに記載のレンズ装置。
【請求項６】
撮像用の光電変換素子と、
前記光電変換素子に外光を入射させる請求項１〜５のいずれか一つに記載のレンズ装置と、
前記レンズ装置が備えた通電部材および当該通電部材に接続する導電部材の少なくとも一方に接続されるアース用フレーム部材と、
を備えたことを特徴とする撮像装置。
【発明の詳細な説明】
【技術分野】
【０００１】
この発明は、外部から操作可能なスイッチを備えたレンズ装置、および、当該レンズ装置を備えた撮像装置に関する。
【背景技術】
【０００２】
従来、たとえば鏡筒内において所定のレンズを光軸方向に移動させることによって、鏡筒内を通過した光の焦点位置を調整するようにしたレンズ装置があった。このようなレンズ装置には、焦点位置の調整を操作者が手動でおこなうマニュアルフォーカスモード、および、レンズ装置あるいは当該レンズ装置を搭載した撮像装置がおこなうオートフォーカスモードなどのように、レンズ装置における動作モードを切り替える際に操作されるスイッチを備えたものがあった。
【０００３】
レンズ装置が備えるスイッチには、たとえば鏡筒に設けられ、鏡筒の外周面に沿って移動可能なスイッチ片を備えたスライド式スイッチなどの各種スイッチがある。各種スイッチは、操作者の操作を受け付けることによってスイッチ片の位置を変化させ、スイッチ片の位置にしたがった電気信号を出力する。このような各種スイッチには、鏡筒の内側においてケーブルが接続されており、スイッチ片の位置にしたがった電気信号はケーブルを介して制御基板などに伝達される。
【０００４】
このようなレンズ装置は、たとえばスイッチの操作によって切り替えられた動作モードにしたがってレンズ装置を動作させるための制御回路を備えている。レンズ装置が備えた制御回路は、撮像装置本体に取り付けられた場合に、レンズ装置と撮像装置本体との電気的な接点を介して撮像装置本体が備えた制御回路に電気的に接続される。
【０００５】
また、従来、レンズ装置に対する近年の小型化への要望にともなって、レンズ装置が備えた制御回路とレンズ装置が備えたレンズなどの光学部材との配置位置を調整することによって、レンズ装置の組み立て後の調整にかかる作業性の向上や、小型化および軽量化を図るようにした技術があった（たとえば、下記特許文献１、２を参照。）。
【０００６】
また、従来、カメラ筐体内部からレンズ鏡胴内を介してシャッタ機構部におけるアクチュエータまで延設されたケーブルにおいて、グランド電位が付与されるグランド線の一部を露出させ、この露出部をレンズ鏡胴の内壁に対して非固定とするとともに接合部よりもレンズ鏡胴の外周寄りに配置することで、外部の帯電物体とレンズ鏡胴との間で発生した放電による大電流がアクチュエータとの接合部ではなくグランド線に送り込まれるようにしたレンズ鏡胴ユニットがあった（たとえば、下記特許文献３を参照。）。
【０００７】
【特許文献１】特開２００８−１７６２１７号公報
【特許文献２】特開２００７−１１４４２１号公報
【特許文献３】特開２００８−２０９４２８号公報
【発明の開示】
【発明が解決しようとする課題】
【０００８】
しかしながら、上述した従来のレンズ装置では、鏡筒が帯電した物体に触れると、物体に帯電していた電荷（いわゆる静電気）がスイッチ片と鏡筒との隙間などを介して鏡筒内に伝達されることがあった。そして、上述したレンズ装置では、鏡筒内に伝達された静電気がケーブルを介して制御回路に伝わるなどして、レンズ装置における制御回路が破損することがあるという問題があった。また、鏡筒内に伝達された静電気は、さらに、レンズ装置と撮像装置本体との電気的な接点を介して、撮像装置本体が備えた制御基板に伝わることがあり、この場合は撮像装置本体における制御回路が破損することがあるという問題があった。
【０００９】
一方、これらの問題に対する対策として、レンズ装置の鏡筒内に伝達された静電気による制御回路の破損を防止するための専用の対策機構を追加した場合、レンズ装置の構造が複雑化し、レンズ装置が大型化してしまう。近年では、レンズ装置の小型化およびレンズ開口径の大型化の両立が要望されており、専用の対策機構を追加することによるレンズ装置の大型化は望ましくない。
【００１０】
また、上述した特許文献３の技術では、光軸方向に移動するシャッタ機構部に接続されるケーブルにグランド線を設けているため、レンズ鏡胴ユニットの状態によってケーブルに撓みが生じる。このため、ケーブルに撓みが生じた場合にも撓んだ部分が光路に干渉しないように、撓んだ部分を収容する空間を確保する必要が生じ、レンズ装置が大型化してしまうという問題があった。
【００１１】
この発明は、上述した従来技術による問題点を解消するため、小型かつ簡易な構成によって静電気による破損を防止することができるレンズ装置および撮像装置を提供することを目的とする。
【課題を解決するための手段】
【００１２】
上述した課題を解決し、目的を達成するため、この発明にかかるレンズ装置は、操作者が操作することによって所定の操作信号を出力する、鏡筒の表面に設けられたスイッチ部材と、前記スイッチ部材に当接して設けられ、当該スイッチ部材の操作にともなってクリック感を発生させる、導電性の材料からなる補助部材と、一端が前記補助部材に電気的に接続され、他の一端がグランドに接続され、前記スイッチ部材または前記補助部材において発生した静電気を、前記補助部材を介して前記グランドへ通電する通電部材と、を備えたことを特徴とする。この発明によれば、スイッチ部材において発生した静電気を、簡易な構成によって、補助部材から通電部材を介してグランドへ通電（筐体接地、フレームアース）することができる。
【００１３】
また、この発明にかかるレンズ装置は、上記の発明において、前記スイッチ部材が、前記鏡筒に対して相対的に変位可能に設けられたスイッチ片と当該スイッチ片の変位にともなって接続状態が変化するスイッチ素子とを備え、当該スイッチ素子の接続状態にしたがって前記所定の操作信号を出力し、前記通電部材は、前記スイッチ素子よりも前記スイッチ片に近い位置で前記補助部材に接続されることを特徴とする。この発明によれば、スイッチ部材において発生した静電気を、当該静電気が電気回路に伝達される前に、補助部材から通電部材を介してグランドへ通電することができる。
【００１４】
また、この発明にかかるレンズ装置は、上記の発明において、前記通電部材が、フレキシブルケーブルであることを特徴とする。この発明によれば、柔軟性があり大きく変形させることが可能なフレキシブルケーブルを用いることによって、通電部材の取り回しのために格別な空間を確保することなく、簡易な構成によって、補助部材をグランドに接続することができる。
【００１５】
また、この発明にかかるレンズ装置は、上記の発明において、前記通電部材が、前記スイッチ部材が出力した所定の操作信号を所定の回路へ送信する送信用コード部材とは別の部材によって構成されることを特徴とする。この発明によれば、静電気とスイッチ部材が出力した所定の操作信号とを、それぞれ独立した部材を介して伝達することにより、スイッチ部材が出力した所定の操作信号の誤認識を防止することができる。
【００１６】
また、この発明にかかるレンズ装置は、上記の発明において、前記鏡筒が、撮像装置本体に接続された状態で、当該撮像装置本体の所定の導電部材に接触する中間導電部材を備えており、前記他の一端は、前記中間導電部材に当接することを特徴とする。この発明によれば、通電部材における他の一端を撮像装置本体まで延長することなく、スイッチ部材において発生した静電気を、簡易な構成によって、補助部材から通電部材を介してグランドへ通電（筐体接地、フレームアース）することができる。
【００１７】
また、この発明にかかる撮像装置は、撮像用の光電変換素子と、前記光電変換素子に外光を入射させる上記のレンズ装置と、前記レンズ装置が備えた通電部材および当該通電部材に接続する導電部材の少なくとも一方に接続されるアース用フレーム部材と、を備えたことを特徴とする。この発明によれば、レンズ装置が備えたスイッチ部材において発生した静電気を、簡易な構成によって、補助部材から通電部材を介してグランドへ通電（筐体接地、フレームアース）することができる。
【発明の効果】
【００１８】
本発明にかかるレンズ装置および撮像装置によれば、レンズ装置が備えたスイッチ部材において発生した静電気を、簡易な構成によってグランドへ通電（筐体接地、フレームアース）することができるという効果を奏する。これによって、小型かつ簡易な構成によって静電気による破損を防止することができる。
【発明を実施するための最良の形態】
【００１９】
以下に添付図面を参照して、この発明にかかるレンズ装置および撮像装置の好適な実施の形態を詳細に説明する。
【００２０】
まず、この発明にかかる実施の形態のレンズ装置の概略構成について説明する。図１、図２、図３、図４、図５、図６、図７および図８は、この発明にかかる実施の形態のレンズ装置の一部を示す説明図である。図１においては、この発明にかかる実施の形態のレンズ装置における接眼側の一部を斜め方向から見た外観を示している。図２においては、この発明にかかる実施の形態のレンズ装置の接眼側の一部を分解して斜め方向から見た状態を示している。図３においては、この発明にかかる実施の形態のレンズ装置の接眼側の一部の内部構造を示している。
【００２１】
図４においては、この発明にかかる実施の形態のレンズ装置が備える一部品を、表面側から見た状態を示している。図５においては、この発明にかかる実施の形態のレンズ装置が備える一部品を、裏面側から見た状態を示している。図６、図７および図８においては、この発明にかかる実施の形態のレンズ装置が備える一部品を、動作状態ごとに示している。
【００２２】
図１、図２、図３、図４、図５、図６、図７および図８において、この発明にかかる実施の形態のレンズ装置は、鏡筒を備えている。鏡筒は光軸Ｃを軸心方向とする略円筒形状を有しており、鏡筒内には、図示を省略する複数のレンズ群が設けられている。複数のレンズ群のうち、少なくとも１つのレンズ群は、光軸方向に沿って移動可能とされている。
【００２３】
レンズ装置においては、該当するレンズ群を光軸方向に沿って移動させることによって被写体に対するピント合わせをおこなう。被写体に対するピント合わせは、鏡筒の全長を固定して該当するレンズ群のみを移動させることによっておこなってもよいし、鏡筒の全長を調整（レンズ繰り出し量を調整）することによっておこなってもよい。
【００２４】
鏡筒における接眼側の部分は、第１鏡筒１０１、第２鏡筒２０１および第３鏡筒１０２によって構成されている。第１鏡筒１０１は、鏡筒においてもっとも接眼側に設けられ、接眼側の端面に設けられたマウント１０３を備えている。レンズ装置は、マウント１０３を介して、図示を省略する撮像装置本体に連結される。
【００２５】
撮像装置本体内には、撮像用の光電変換素子すなわち撮像素子が配置されている。撮像素子は、レンズ装置を介して受光した外光を光電変換し、入射光量に応じた電気信号を出力する。撮像素子は、具体的には、たとえばＣＣＤイメージセンサ（Ｃｈａｒｇｅ  Ｃｏｕｐｌｅｄ  Ｄｅｖｉｃｅ  Ｉｍａｇｅ  Ｓｅｎｓｏｒ）やＣＭＯＳイメージセンサ（Ｃｏｍｐｌｅｍｅｎｔａｒｙ  Ｍｅｔａｌ  Ｏｘｉｄｅ  Ｓｅｍｉｃｏｎｄｕｃｔｏｒ  Ｉｍａｇｅ  Ｓｅｎｓｏｒ）などの固体撮像素子によって実現することができる。
【００２６】
また、撮像装置本体内には電源が設けられており、撮像装置本体はレンズ装置におけるレンズ群の移動や絞り機構の動作に要する電源を供給する。撮像装置本体は、電源に加えて、撮像素子が出力した電気信号に基づく映像信号など、各種の電気信号をレンズ装置に出力する。電源の供給や電気信号の入出力は、マウント１０３に設けられた接点を介しておこなう。接点には、レンズ装置における電気回路に接続された各種配線が接続されている。レンズ装置は、撮像装置本体との間で電気信号の入出力をおこなうことによって、レンズ装置が備えたレンズ群を光軸方向に沿って移動させたり、絞り開口を開閉して光量を調整したりする。
【００２７】
第２鏡筒２０１は、第１鏡筒１０１の内側に設けられている。第２鏡筒２０１は、少なくとも一部が第１鏡筒１０１に接触するような状態で、第１鏡筒１０１の内側に設けられている。第１鏡筒１０１、第２鏡筒２０１およびマウント１０３は、ともに、金属材料を用いて形成されている。
【００２８】
第１鏡筒１０１、第２鏡筒２０１およびマウント１０３を形成する金属材料としては、第１鏡筒１０１、第２鏡筒２０１およびマウント１０３に導電性を付与するものであればよく、具体的には、たとえばアルミニウムなどの軽量な金属を用いることができる。マウント１０３は、レンズ装置が撮像装置本体に取り付けられている状態において、撮像装置本体に設けられたフレームなどの導電部材（導電性の材料からなる部材）に接触する。
【００２９】
第２鏡筒２０１には、第２鏡筒２０１の対物側の端部において、第３鏡筒１０２が連結されている。第３鏡筒１０２は、プラスチック材料を用いて形成されている。これにより、第３鏡筒１０２は絶縁性を有している。第１鏡筒１０１は、第３鏡筒１０２に連結された第２鏡筒２０１を外周側から覆うようにして設けられ、第３鏡筒１０２における接眼側の端部に連結されている。
【００３０】
第３鏡筒１０２の外周面には、スイッチボックス１０４が設けられている。第３鏡筒１０２には第３鏡筒１０２を板厚方向に貫通する取り付け孔２０２が設けられており、スイッチボックス１０４は取り付け孔２０２に嵌め込まれるようにして第３鏡筒１０２に取り付けられる。
【００３１】
スイッチボックス１０４は、スイッチフレーム１０５とスイッチ片１０６とを備えている。スイッチフレーム１０５は、第３鏡筒１０２が備えた取り付け孔２０２を覆うようにして第３鏡筒１０２に取り付けられる。スイッチフレーム１０５は、具体的には、ビス１０７によって第３鏡筒１０２に取り付けられている。スイッチフレーム１０５には、光軸を中心とする円周方向を長手方向とする溝が設けられている。
【００３２】
スイッチ片１０６は、スイッチフレーム１０５に設けられた溝１０８に嵌め込まれ、溝１０８の内側においてスイッチフレーム１０５に対してスライド可能に設けられている。スイッチ片１０６は、溝１０８の内側においてスライドすることにより、基準位置、ＡＦ（オートフォーカス）位置、あるいはＭＦ（マニュアルフォーカス）位置のいずれかの位置に選択的に位置付けられる。スイッチ片１０６は、溝１０８の内側において、ＡＦ（オートフォーカス）位置、基準位置、ＭＦ（マニュアルフォーカス）位置の順でスライドする。
【００３３】
スイッチ片１０６がＡＦ（オートフォーカス）位置に位置付けられている場合、レンズ装置においては、操作者（撮影者）の操作を介することなく被写体に対するピント合わせがおこなわれる。具体的には、たとえば撮像素子に入射した光にしたがった映像信号のコントラストの差分を用いて、レンズ装置が備えるフォーカスレンズを光軸方向に移動させることによってピントを合わせることができる。ＡＦ（オートフォーカス）にかかる機構およびＡＦ（オートフォーカス）処理については、公知の技術であるため説明を省略する。
【００３４】
また、スイッチ片１０６がＭＦ（マニュアルフォーカス）位置に位置付けられている場合、レンズ装置においては、レンズ装置が備えたフォーカスリングの回動にともなってフォーカスレンズを光軸方向に移動させる。フォーカスリングは、鏡筒の外周側において光軸Ｃを中心として回動可能に設けられており、ＡＦ（オートフォーカス）にかかる機構のうち、フォーカスレンズを光軸方向に移動させる機構に連結されている。
【００３５】
スイッチ片１０６がＭＦ（マニュアルフォーカス）位置に位置付けられている場合に操作者によってフォーカスリングが操作されると、フォーカスレンズはフォーカスリングの回動方向に応じた方向に、フォーカスリングの回動量にしたがった距離を移動する。ＭＦ（マニュアルフォーカス）にかかる機構およびＭＦ（マニュアルフォーカス）処理については、公知の技術であるため説明を省略する。
【００３６】
スイッチフレーム１０５にはスイッチフレーム１０５を板厚方向に貫通する貫通孔６０１が設けられており、スイッチ片１０６は貫通孔６０１を貫通するように挿入される突起６０２を備えている。突起６０２は、スイッチ片１０６に一体に設けられ、スイッチフレーム１０５の裏面側（鏡筒における内周面側）に位置付けられるクリック板５０１に連結されている。スイッチ片１０６とクリック板５０１とは、ネジ５０２によって連結されている。
【００３７】
スイッチ片１０６とクリック板５０１とを連結するネジ５０２は、導電性を有する材料（導電性の材料）によって形成されている。スイッチ片１０６とクリック板５０１とを連結するネジ５０２は、具体的には、たとえば金属材料によって形成されている。この実施の形態においては、スイッチ片１０６および突起６０２は、樹脂材料の射出成形によって形成されており、絶縁性を有している。クリック板５０１は、スイッチフレーム１０５に対するスイッチ片１０６の移動にともなって、光軸Ｃを中心とする円周方向に移動可能に設けられている。
【００３８】
クリック板５０１は、スイッチフレーム１０５側に突出するように屈曲された屈曲部５０３を備えている。屈曲部５０３は、スイッチ片１０６が基準位置に位置付けられた状態（図６に示した状態）で、スイッチフレーム１０５の裏面側に設けられた凹部６０３に嵌るように設けられている。クリック板５０１は、スイッチ片１０６が基準位置以外の位置に位置付けられている状態（図７あるいは図８に示した状態）では、スイッチフレーム１０５の裏面から屈曲部５０３を離反させるように、屈曲部５０３の周辺を湾曲させて変形する。
【００３９】
スイッチフレーム１０５の裏面から屈曲部５０３を離反させるように変形した状態のクリック板５０１においては、クリック板５０１を形成する材料自身の弾性によって、屈曲していない平坦な形状に復帰しようとする復元力が作用している。変形した状態の屈曲部５０３は、この復元力によって、スイッチフレーム１０５の裏面に当接する方向へ付勢されている。
【００４０】
屈曲部５０３は、スイッチ片１０６がＡＦ（オートフォーカス）位置から基準位置へ移動した場合、あるいは、ＭＦ（マニュアルフォーカス）位置から基準位置へ移動した場合に、クリック板５０１の復元力によって、凹部６０３に嵌り込むようにして元の形状に復帰する。この復帰に際して屈曲部５０３が凹部６０３に嵌り込むことによって、スイッチ片１０６を操作した操作者の手にクリック感（操作感）が伝達される。
【００４１】
スイッチ片１０６を操作した操作者の手にクリック感を伝達することにより、操作者は、操作するたびにスイッチ片１０６の位置を目視にて確認することなく、スイッチ片１０６を意図した位置に位置付けることができる。この実施の形態においては、クリック板５０１によって、クリック感を発生させる補助部材を実現することができる。
【００４２】
クリック板５０１には、スイッチ素子６０４が設けられている。スイッチ素子６０４は、クリック板５０１において、スイッチフレーム１０５の裏面側となる位置であって、レンズ装置の外側からは視認できない位置に設けられている。スイッチ素子６０４は、複数の端子を備えておりスイッチ片１０６の位置にしたがって、端子どうしの接続状態を変化させる。
【００４３】
これにより、スイッチボックス１０４からは、スイッチ片１０６の位置にしたがった信号が出力される。この実施の形態においては、スイッチ片１０６、クリック板５０１およびスイッチ素子６０４によってスイッチ部材を実現することができる。すなわち、この実施の形態におけるクリック板５０１は、補助部材を実現するとともにスイッチ部材の一部を実現することができる。
【００４４】
なお、スイッチ素子６０４は、クリック板５０１に直接搭載されているものに限らない。たとえばクリック板５０１とは別体であってスイッチ片１０６とともに移動可能な所定の部材を設け、当該所定の部材にスイッチ素子６０４を設けるようにしてもよい。この場合、所定の部材は導電性を有する材料に限らず、非導電性の材料によって形成してもよい。このような構成においても、スイッチ片１０６の位置にしたがって、スイッチ素子６０４における端子どうしの接続状態を変化させることができる。この場合、スイッチ片１０６とともに移動可能な所定の部材およびスイッチ素子６０４によってスイッチ部材を実現することができる。
【００４５】
レンズ装置は、レンズ装置が備える各部を駆動制御したり、レンズ装置が接続された撮像装置本体との間で電気信号の入出力をおこなう制御回路を備えている。スイッチ素子６０４には、スイッチ素子６０４が出力した信号を、レンズ装置が備える制御回路などに伝達する信号線（信号伝送用のフレキシブルケーブル）５０４が電気的に接続されている。この実施の形態においては、信号伝送用のフレキシブルケーブル５０４によって、送信用コード部材を実現することができる。
【００４６】
クリック板５０１は、導電性の材料からなる。導電性の材料としては、具体的には、たとえば金属材料を用いることができる。この実施の形態におけるクリック板５０１は、金属材料によって形成された板状部材に対するプレス成形（打ち抜き加工および曲げ加工）を施すことによって形成することができる。
【００４７】
クリック板５０１の裏面側には、アース用フレキシブルケーブル（アース用フレキシブルプリントケーブル）５０５の一端が接続されている。この実施の形態においては、アース用フレキシブルケーブル５０５によって、通電部材を実現することができる。アース用フレキシブルケーブル５０５は、たとえば、絶縁基板の上にエッチングや導電ペイントによって配線パターンを形成したフレキシブルプリントケーブル（ＦＰＣ：Ｆｌｅｘｉｂｌｅ  ｐｒｉｎｔｅｄ  ｃａｂｌｅ）によって実現することができる。
【００４８】
アース用フレキシブルケーブル５０５は、たとえば厚み１２μｍから５０μｍのフィルム状の絶縁体（ベースフィルム）の上に接着層を形成し、さらにその上に厚み１２μｍから５０μｍ程度の導体箔を形成した構造をなしている。絶縁体としては、たとえばポリイミド製の膜もしくはフォトソルダーレジスト膜を用いることができる。また、絶縁体としては、たとえば紙基材フェノール樹脂、ガラス布基材エポキシ樹脂などを用いてもよい。導体としては、たとえば銅を用いることができる。
【００４９】
アース用フレキシブルケーブル５０５は、絶縁体の片側だけに配線パターンを形成した（片面プリント配線基板）タイプであってもよいし、絶縁体の両面に配線パターンを形成した（両面プリント配線基板）タイプであってもよい。また、アース用フレキシブルケーブル５０５は、片面または両面プリント配線基板を積層した（多層プリント配線基板）タイプであってもよい。
【００５０】
さらに、アース用フレキシブルケーブル５０５は、絶縁体の表面に形成された配線パターンを、別の絶縁体によって被覆した構成であってもよい。具体的には、アース用フレキシブルケーブル５０５においては、端子部やはんだ付け部以外には絶縁体を被せることによる保護がなされている。
【００５１】
アース用フレキシブルケーブル５０５の一端は、スイッチ片１０６とクリック板５０１とを連結するネジ５０２によってクリック板５０１の裏面側にネジ留めされている。ネジ５０２は、導電性を有する材料によって形成されているため、アース用フレキシブルケーブル５０５の一端をネジ５０２によって固定することによって、アース用フレキシブルケーブル５０５の一端はクリック板５０１に電気的に接続される。
【００５２】
信号伝送用のフレキシブルケーブル５０４やアース用フレキシブルケーブル５０５を実現する、フレキシブルプリントケーブルは、一般的に、汎用的なリジッド基板の総厚み０．３ｍｍから１．６ｍｍと比較して薄く、小さい力で繰り返し変形させることが可能であり、変形した場合にもその電気的特性を維持することができる。このため、フレキシブルプリントケーブルを、信号伝送用のフレキシブルケーブル５０４やアース用フレキシブルケーブル５０５として用いることにより、空間的制約のために配線や基板を曲げる必要がある箇所においても電気信号を精度よく伝達することができる。
【００５３】
この実施の形態においては、クリック板５０１の裏面側にアース用フレキシブルケーブル５０５を設けるようにしたが、これに限るものではない。アース用フレキシブルケーブル５０５は、クリック板５０１に電気的に接続されていればよく、たとえばクリック板５０１の表面側に設けるようにしてもよい。
【００５４】
また、この実施の形態においては、クリック板５０１の裏面側にアース用フレキシブルケーブル５０５をネジ５０２によってネジ留めすることによってアース用フレキシブルケーブル５０５の一端をクリック板５０１に電気的に接続するようにしたが、これに限るものではない。アース用フレキシブルケーブル５０５における導線部分をクリック板５０１にはんだ付けすることによって、アース用フレキシブルケーブル５０５の一端をクリック板５０１に電気的に接続するようにしてもよい。
【００５５】
アース用フレキシブルケーブル５０５の他端は、第３鏡筒１０２および第２鏡筒２０１の内側を経由して、第２鏡筒２０１における接眼側の端部に位置付けられている。アース用フレキシブルケーブル５０５の他端は、第２鏡筒２０１における接眼側の端部において、第２鏡筒２０１に接触するように設けられている。
【００５６】
第２鏡筒２０１は金属材料によって形成されているため、アース用フレキシブルケーブル５０５の他端と第２鏡筒２０１とは、電気的に接続されている。第２鏡筒２０１においてはアース用フレキシブルケーブル５０５の他端を第２鏡筒２０１の外部に臨ませる切り欠き部が設けられており、アース用フレキシブルケーブル５０５の他端は切り欠き部から第２鏡筒２０１の外部に臨んでいる。
【００５７】
第２鏡筒２０１は、少なくとも一部が第１鏡筒１０１に接触しているため、アース用フレキシブルケーブル５０５の他端は、第２鏡筒２０１を介して第１鏡筒１０１に電気的に接続されている。アース用フレキシブルケーブル５０５の他端は、第２鏡筒２０１を介して第１鏡筒１０１に接続されるものに限らない。アース用フレキシブルケーブル５０５の他端は、導電性を有する所定の部材（導電性の材料からなる所定の部材）を介して第１鏡筒１０１に接続されるものであってもよい。また、アース用フレキシブルケーブル５０５の他端は、直接、第１鏡筒１０１に接続されるものであってもよい。
【００５８】
第１鏡筒１０１には、導電性を有する材料によって形成されたマウント１０３が設けられているため、アース用フレキシブルケーブル５０５の他端は、第２鏡筒２０１および第１鏡筒１０１を介してマウント１０３に電気的に接続されている。アース用フレキシブルケーブル５０５の他端は、第２鏡筒２０１および第１鏡筒１０１を介してマウント１０３に当接するものに限らない。アース用フレキシブルケーブル５０５の他端は、マウント１０３に直接接続されるものであってもよい。
【００５９】
上述したように、マウント１０３は、レンズ装置が撮像装置本体に取り付けられている状態において撮像装置本体に設けられたフレームなどの導電部材に接触することから、レンズ装置が撮像装置本体に取り付けられている状態においては、アース用フレキシブルケーブル５０５の他端は撮像装置本体に設けられたフレームなどの導電部材に電気的に接続されることとなる。
【００６０】
この実施の形態においては、アース用フレキシブルケーブル５０５の他端と撮像装置本体に設けられたフレームなどの導電部材との間において、アース用フレキシブルケーブル５０５の他端と撮像装置本体に設けられたフレームなどの導電部材との電気的な接続にかかわる第２鏡筒２０１、第１鏡筒１０１およびマウント１０３によって、中間導電部材を実現することができる。
【００６１】
このような構成において、レンズ装置あるいはレンズ装置と撮像装置本体とを連結することによって構成される撮像装置の使用に際しては、レンズ装置の周辺に存在する物体あるいは空間に帯電しているがレンズ装置に触れることがある。そして、レンズ装置に触れた静電気が、スイッチボックス１０４、特に、スイッチ片１０６の近傍に触れると、当該静電気がスイッチ片１０６とスイッチフレーム１０５との間から鏡筒内に伝達されることがある。
【００６２】
この実施の形態において、静電気（静電気放電：Ｅｌｅｃｔｒｏｓｔａｔｉｃ  Ｄｉｓｃｈａｒｇｅ）とは、たとえばスイッチ操作によって発生する電荷以外の電荷など、電気信号として意図的に発生させた電荷以外の電荷とする。このような場合、鏡筒内に伝達された静電気は、鏡筒内において最初に接触する導電性部材であるクリック板５０１に伝達される。あるいは、静電気は、鏡筒の外部から導電性部材であるクリック板５０１に直接伝達される場合もある。
【００６３】
従来のレンズ装置においては、静電気がクリック板５０１に伝達されると、伝達された静電気が、クリック板５０１に取り付けられているスイッチ素子６０４を介してあるいはクリック板５０１から直接信号伝送用のフレキシブルケーブル５０４に伝達されていた。このため、従来のレンズ装置においては、スイッチ素子６０４が接続された電気回路に過電流が流れ、電気回路が破損することがあった。
【００６４】
これに対し、この実施の形態のレンズ装置によれば、アース用フレキシブルケーブル５０５の一端が、スイッチ片１０６に一体に設けられた突起６０２に対してクリック板５０１を固定するネジ５０２によって、クリック板５０１に電気的に接続されている。すなわち、アース用フレキシブルケーブル５０５の一端は、クリック板５０１において、鏡筒内に侵入した静電気が最初に伝達される位置に接続されている。このため、鏡筒内に伝達された静電気は、信号伝送用のフレキシブルケーブル５０４よりも早く触れるアース用フレキシブルケーブル５０５に伝達される。
【００６５】
アース用フレキシブルケーブル５０５の他端は、第２鏡筒２０１、第１鏡筒１０１などを介して、マウント１０３に電気的に接続されているため、鏡筒内に伝達され、アース用フレキシブルケーブル５０５に伝達した静電気は、信号伝送用のフレキシブルケーブル５０４を介することなくマウント１０３に伝達される。
【００６６】
マウント１０３は、導電材料によって形成されるとともに、レンズ装置が撮像装置本体に取り付けられている状態においては撮像装置本体に設けられたフレームなどの導電部材に接触しているため、マウント１０３に伝達された静電気は撮像装置本体に設けられたフレームなどの導電部材に伝達され、アースされる。
【００６７】
以上説明したように、この実施の形態のレンズ装置においては、操作者が操作することによって所定の操作信号を出力する、鏡筒の表面に設けられたスイッチ部材と、スイッチ部材に当接して設けられ、当該スイッチ部材の操作にともなってクリック感を発生させる、導電性の材料からなる補助部材の一例としてのクリック板５０１と、一端がクリック板５０１に電気的に接続され、他の一端がグランドに接続され、スイッチ部材において発生した静電気を、クリック板５０１を介してグランドへ通電する通電部材の一例としてのアース用フレキシブルケーブル５０５と、を備えたことを特徴としている。
【００６８】
このような構成を備えたレンズ装置によれば、スイッチ部材、具体的にはスイッチフレーム１０５とスイッチ片１０６との隙間の周辺において発生した静電気を、簡易な構成によって、クリック板５０１からアース用フレキシブルケーブル５０５を介してグランドへ通電（筐体接地、フレームアース）することができる。
【００６９】
また、この実施の形態のレンズ装置においては、スイッチ部材が、鏡筒に対して相対的に変位可能に設けられたスイッチ片１０６と当該スイッチ片１０６の変位にともなって接続状態が変化するスイッチ素子６０４とを備え、当該スイッチ素子６０４の接続状態にしたがって所定の操作信号を出力し、アース用フレキシブルケーブル５０５は、スイッチ素子６０４よりもスイッチ片１０６に近い位置でクリック板５０１に接続されることを特徴としている。
【００７０】
このような構成を備えたレンズ装置によれば、スイッチ部材、具体的にはスイッチフレーム１０５とスイッチ片１０６との隙間の周辺において発生した静電気を、当該静電気がスイッチ素子６０４に伝達される前に、クリック板５０１からアース用フレキシブルケーブル５０５を介してグランドへ通電することができる。
【００７１】
また、この実施の形態のレンズ装置によれば、アース用フレキシブルケーブル５０５が、フレキシブルケーブルであることを特徴とするため、柔軟性があり大きく変形させることが可能なフレキシブルケーブルを用いることによって、アース用フレキシブルケーブル５０５の取り回しのために格別な空間を確保することなく、簡易な構成によって、クリック板５０１をグランドに接続することができる。
【００７２】
また、この実施の形態のレンズ装置においては、アース用フレキシブルケーブル５０５が、スイッチ素子６０４が出力した所定の操作信号を所定の回路へ送信する、送信用コード部材の一例としての信号伝送用のフレキシブルケーブル５０４とは別の部材によって構成されることを特徴としている。
【００７３】
このような構成を備えたレンズ装置によれば、静電気とスイッチ素子６０４が出力した所定の操作信号とを、それぞれ独立した部材を介して伝達することにより、スイッチ素子６０４が出力した所定の操作信号の誤認識を防止することができる。
【００７４】
また、この実施の形態のレンズ装置においては、鏡筒が、撮像装置本体に接続された状態で、当該撮像装置本体の所定の導電部材に接触する中間導電部材の一例としての第２鏡筒２０１、第１鏡筒１０１およびマウント１０３を備えており、他の一端は、第２鏡筒２０１、第１鏡筒１０１およびマウント１０３を介して、撮像装置本体に設けられたフレームなどの導電部材に当接することを特徴としている。
【００７５】
このような構成を備えたレンズ装置によれば、アース用フレキシブルケーブル５０５における他の一端を撮像装置本体まで延長することなく、アース用フレキシブルケーブル５０５における他の一端を、撮像装置本体に設けられたフレームなどの導電部材に電気的に接続することができる。これによって、スイッチ部材、具体的にはスイッチフレーム１０５とスイッチ片１０６との隙間の周辺において発生した静電気を、簡易な構成によって、クリック板５０１からアース用フレキシブルケーブル５０５を介してグランドへ通電（筐体接地、フレームアース）することができる。
【００７６】
また、この実施の形態の撮像装置は、撮像用の光電変換素子と、撮像素子に外光を入射させる上記のレンズ装置と、レンズ装置が備えたアース用フレキシブルケーブル５０５および当該アース用フレキシブルケーブル５０５に接続する導電部材の少なくとも一方に接続されるアース用フレーム部材と、を備えたことを特徴としている。
【００７７】
このような構成を備えた撮像装置によれば、レンズ装置が備えたスイッチ部材、具体的にはスイッチフレーム１０５とスイッチ片１０６との隙間の周辺において発生した静電気を、簡易な構成によって、クリック板５０１からアース用フレキシブルケーブル５０５を介してグランドへ通電（筐体接地、フレームアース）することができる。
【００７８】
以上、この実施の形態のレンズ装置および当該レンズ装置を備えた撮像装置によれば、レンズ装置が備えたスイッチ部材、具体的にはスイッチフレーム１０５とスイッチ片１０６との隙間の周辺において発生した静電気を、簡易な構成によってグランドへ通電（筐体接地、フレームアース）することができる。これによって、小型かつ簡易な構成によって静電気による破損を防止することができる。
【産業上の利用可能性】
【００７９】
以上のように、この発明にかかるレンズ装置および撮像装置は、外部から操作可能なスイッチを備えたレンズ装置および当該レンズ装置を備えた撮像装置に有用であり、特に、内部に電気回路を備えたレンズ装置および当該レンズ装置を備えた撮像装置に適している。
【図面の簡単な説明】
【００８０】
【図１】この発明にかかる実施の形態のレンズ装置の一部を示す説明図（その１）である。
【図２】この発明にかかる実施の形態のレンズ装置の一部を示す説明図（その２）である。
【図３】この発明にかかる実施の形態のレンズ装置の一部を示す説明図（その３）である。
【図４】この発明にかかる実施の形態のレンズ装置の一部を示す説明図（その４）である。
【図５】この発明にかかる実施の形態のレンズ装置の一部を示す説明図（その５）である。
【図６】この発明にかかる実施の形態のレンズ装置の一部を示す説明図（その６）である。
【図７】この発明にかかる実施の形態のレンズ装置の一部を示す説明図（その７）である。
【図８】この発明にかかる実施の形態のレンズ装置の一部を示す説明図（その８）である。
【符号の説明】
【００８１】
１０４  スイッチボックス
１０５  スイッチフレーム
１０６  スイッチ片
１０７  ビス
５０１  クリック板
５０２  ネジ
５０３  屈曲部
５０４  信号伝送用のフレキシブルケーブル
５０５  アース用フレキシブルケーブル
６０４  スイッチ素子
【図１】
2010072582.tif 000003
【図２】
2010072582.tif 000004
【図３】
2010072582.tif 000005
【図４】
2010072582.tif 000006
【図５】
2010072582.tif 000007
【図６】
2010072582.tif 000008
【図７】
2010072582.tif 000009
【図８】
2010072582.tif 000010